(57)【要約】【課題】従来の一般的な冷蔵庫の野菜室を使用しても野菜を新鮮に保存できる冷蔵庫または野菜購入システムを提供する。【解決手段】会員の野菜の購入に必要とする野菜購入情報を入力する入力部を有する会員端末と、会員端末の入力部により入力された野菜購入情報に基づいて、購入を推奨する野菜の情報である購入推奨野菜情報を生成する会員サイトサーバと、会員サイトサーバが生成した推奨購入野菜情報に基づいて、野菜の販売配送情報を生成する野菜販売業者端末と、を通信網を介して接続した野菜購入システムにおいて、会員サイトサーバは、野菜購入情報としての会員の健康状態に係る情報と冷蔵庫の野菜室の空間状態に係る情報とに基づいて、会員の健康状態に応じて必要とする栄養成分量であり、且つ、前記野菜室に収納する量の野菜を選定して、購入推奨野菜情報を生成するよう構成されている。【選択図】図１
2010218117.tif 000002
【特許請求の範囲】
【請求項１】
会員の野菜の購入に必要とする野菜購入情報を入力する入力部を有する会員端末と、
前記会員端末の前記入力部により入力された前記野菜購入情報に基づいて、購入を推奨する野菜の情報である購入推奨野菜情報を生成する会員サイトサーバと、
前記会員サイトサーバが生成した前記推奨購入野菜情報に基づいて、野菜の販売配送情報を生成する野菜販売業者端末と、を通信網を介して接続した野菜購入システムにおいて、
前記会員サイトサーバは、前記野菜購入情報としての会員の健康状態に係る情報と冷蔵庫の野菜室の空間状態に係る情報とに基づいて、会員の健康状態に応じて必要とする栄養成分量であり、且つ、前記野菜室に収納する適量の野菜を選定して、前記購入推奨野菜情報を生成することを特徴とする野菜購入システム。
【請求項２】
野菜室に収納する適量の野菜の購入に必要とする野菜購入情報を入力する入力部と、
前記入力部により入力された前記野菜購入情報を他の装置へ送信する通信部とを有する冷蔵庫であって、
前記入力部及び前記通信部は前記冷蔵庫の扉の表面に備えられることを特徴とする冷蔵庫。
【発明の詳細な説明】
【技術分野】
【０００１】
本発明は、冷蔵庫または野菜購入システムに関するものである。
【背景技術】
【０００２】
近年、社会環境の変化に伴い、食品を保存する日数は増加している。しかし、食品の廃棄は増加傾向にあり、ある調査結果では、廃棄食品の約半数は、冷蔵庫で保存していたものである。その中でも、最も廃棄の量が多いのが野菜である。原因としては、生野菜（サラダ）は一度の食事での摂取量に限度があることや、野菜の加熱調理は下ごしらえに手間がかかることなどがあげられる。健康維持のため野菜を摂取することの重要性から野菜を購入する一方で、野菜を消費し切れずに捨ててしまうことが少なくない。
【０００３】
この問題を解決するために、一つには、賞味期限のない野菜を調理に使用するまで長く鮮度を保つための鮮度保持が必要である。野菜や果実は、収穫前は光合成により自ら栄養分を作り出すが、収穫後も自体の成分を源に呼吸・蒸散を行うことで品質が低下する。これらの作用を抑制し、鮮度を保持するには低温保存が効果的となる。特に、葉もの野菜は根菜類に比べて呼吸作用が盛んで、呼吸作用の大きいものほど消耗も大きく鮮度保持が困難となる。この作用は温度と深い関係があり、低温ほど抑制される。呼吸作用で発生したエネルギーは、熱となって放出されるので、葉もの野菜の貯蔵量が多い場合は、温度上昇に注意する必要がある。また、野菜・果実の多くは大部分が水から構成されていることから、蒸散により水が失われると、著しく品質が低下する。一般に、５％の重量減少があると、外観上での鮮度低下も明らかとなり、細胞の膨圧低下により肉質、食感も悪くなる。重量に対し、露出表面積の大きいものは蒸散が急速で、葉菜や果菜は非常に大きい。一般に、呼吸量の大きいものは、蒸散速度も大きくなる。葉物では、気孔が多く存在することも大きく影響する。果実・果菜では気孔の大小や多少で分かれる。この蒸散作用は、温度や湿度に影響されるので、低温・高湿な状態にして蒸散速度を小さくする必要がある。以上のことから、低温・高湿な状態で野菜を保存することにより、呼吸・蒸散の影響を抑え、野菜の鮮度を保つ必要がある。しかし、呼吸量低下のための低温化と蒸散量低下は、保存される野菜量に大きく依存する。
【０００４】
このような野菜の生理作用による劣化を防止する技術として、特許文献１には、野菜を密閉状態で且つ低酸素状態の中で保存する方法が記載されている。
【先行技術文献】
【特許文献】
【０００５】
【特許文献１】特開平７−５９５１１号公報
【発明の概要】
【発明が解決しようとする課題】
【０００６】
しかしながら、特許文献１は、貯蔵庫に装着された酸素富化膜と窒素富化膜により、貯蔵室内の空気から選択的に酸素を排気し、窒素の多い空気を貯蔵室内に戻す装置である。前記酸素富化膜と窒素富化膜を通過させることにより空気中の成分を分離させるには、高真空を必要とする減圧ポンプが必要となるため、装置が大きくなってしまう。この装置が大きくなっただけ、食品の収納スペースが小さくなってしまい、貯蔵室がコスト高となってしまう。また、分離膜の原理は膜の透過性の違いにより空気中のガス成分を分離する際に、空気中の水分（水）は酸素側に透過してしまうため、貯蔵室内から酸素と供に水分も排気されてしまう。これによって、貯蔵室内の湿度は低下してしまい、野菜の保存に重要な高湿度を維持できない。
【０００７】
本発明の目的は、冷蔵庫の使用者による野菜の管理をシステム化することにより、低酸素にしない一般的な冷蔵庫の野菜室を使用しても野菜を新鮮に保存できる冷蔵庫または野菜購入システムを提供することにある。
【０００８】
本発明の他の目的は、野菜をまとめ買いしても使い切るまで計画的に消費し且つ、新鮮に保存することができる冷蔵庫または野菜購入システムを提供することにある。
【０００９】
本発明の他の目的は、健康を維持するために必要な栄養価を、計画的に摂取することができる冷蔵庫または野菜購入システムを提供することにある。
【００１０】
本発明の更に他の目的は、冷蔵庫の野菜室に収納する適量の野菜を購入できる冷蔵庫または野菜購入システムを提供することにある。
【課題を解決するための手段】
【００１１】
上記目的を達成するために、本発明の野菜購入システムは、会員（以下、購入者を特定する情報を登録した登録購入者を含む）の野菜の購入に必要とする野菜購入情報を入力する入力部を有する会員端末と、前記会員端末の前記入力部により入力された前記野菜購入情報に基づいて、購入を推奨する野菜の情報である購入推奨野菜情報を生成する会員サイトサーバと、前記会員サイトサーバが生成した前記推奨購入野菜情報に基づいて、野菜の販売配送情報を生成する野菜販売業者端末と、を通信網を介して接続した野菜購入システムにおいて、前記会員サイトサーバは、前記野菜購入情報としての会員の健康状態に係る情報と冷蔵庫の野菜室の空間状態に係る情報とに基づいて、会員の健康状態に応じて必要とする栄養成分量であり、且つ、前記野菜室に収納する適量の野菜を選定して、前記購入推奨野菜情報を生成するように構成されている。
【００１２】
また、本発明の冷蔵庫は、野菜室に収納する適量の野菜の購入に必要とする野菜購入情報を入力する入力部と、前記入力部により入力された前記野菜購入情報を他の装置へ送信する通信部とを有する冷蔵庫であって、前記入力部及び前記通信部は前記冷蔵庫の扉の表面に備えられるように構成されている。
【発明の効果】
【００１３】
以上、説明したように、本発明は、従来の冷蔵庫の野菜室を使用しても野菜を新鮮に保存できる冷蔵庫または野菜購入システムを実現することができる。また、野菜をまとめ買いしても使い切るまで計画的に消費し且つ、新鮮に保存することができる冷蔵庫または野菜購入システムを実現することができる。また、健康を維持するために必要な栄養価を計画的に摂取することができる冷蔵庫または野菜購入システムを実現することができる。さらに、冷蔵庫の野菜室に収納する適量の野菜を購入できる冷蔵庫または野菜購入システムを提供することができる。
【図面の簡単な説明】
【００１４】
【図１】本発明の一実施例の野菜購入システムの全体構成を示す図である。
【図２】本発明の一実施例の会員端末の構成を示す図である。
【図３】本発明の一実施例の会員サイトサーバの構成を示す図である。
【図４】本発明の一実施例の会員サイトサーバの記憶部のファイル構成を示す図である。
【図５】本発明の一実施例の会員情報データベースの構成を示す図である。
【図６】本発明の一実施例の健康管理データベースの構成を示す図である。
【図７】本発明の一実施例の野菜情報データベースの構成を示す図である。
【図８】本発明の一実施例の庫内野菜情報データベースの構成を示す図である。
【図９】本発明の一実施例の体重管理データベースの構成を示す図である。
【図１０】本発明の一実施例の献立情報データベースの構成を示す図である。
【図１１】本発明の一実施例の野菜購入システムの動作を説明するための図である。
【図１２】本発明の一実施例の会員ホームページを説明するための図（その１）である。
【図１３】本発明の一実施例の会員ホームページを説明するための図（その２）である。
【発明を実施するための形態】
【００１５】
以下、本発明の実施の形態について、図面を参照して詳細に説明する。
【００１６】
図１は、本発明の一実施例の野菜購入システムの全体構成を示す図である。図１の野菜購入システムは、会員サイト管理者が管理する会員サイトサーバ１１０に、インターネット等の通信網１８０を介して、会員が所有する会員端末１２０と、野菜販売業者が所有する野菜販売業者端末１３０とが接続されることにより構成される。尚、端末１２０及び１３０は、それぞれ複数の端末が存在してこの野菜購入システムに接続される。また、冷蔵庫１００は、操作表示部と、他の装置との通信を行うための通信部とを有する操作パネル１０１を冷蔵庫１００の扉の表面に備えており、例えば、操作表示部から入力されたデータを通信部を介して会員端末１２０に送信することができる。
【００１７】
ここで、会員とは、冷蔵庫の購入者であり、冷蔵庫購入者は、会員端末１２０から通信網１８０を通じて会員サイトサーバ１１０に登録申請し、会員サイトサーバ１１０を通して会員サイト管理者から承認が得られた場合に、会員としてこの野菜購入システムに接続して各種サービスを利用することができる。
【００１８】
会員端末１２０は、図２に示すようにＰＣ等で構成され、操作部２１０、制御部２２０、表示部２３０、記憶部２４０及び通信部２５０を有する。操作部２２０は、キーボード等からなる入力部を有する。制御部２２０は、ＣＰＵ等から構成され、操作部２２０から入力された入力データや会員サイトサーバ１１０から送信されたデータに基づいて所定の処理を行い、処理結果を記憶部２４０に記憶し、また、表示部２３０に出力し、さらには、通信部２５０を介して外部に出力する機能を有する。表示部２３０は、ＣＲＴ表示装置や液晶表示装置等から構成され、入力内容、受信内容、処理内容等を表示する。記憶部２４０は、会員固有の情報等を記憶する。通信部２５０は、通信網１８０を介して他の装置との送受信を行う機能を有する。尚、野菜販売業者端末１３０は、会員端末１２０と同様の構成であるため、ここでは、詳細な説明は省略する。
【００１９】
会員サイトサーバ１１０は、図３に示すように、操作部３１０、制御部３２０、表示部３３０、記憶部３４０及び通信部３５０を有する。操作部３１０は、キーボード等の入力部を有する。制御部３２０はＣＰＵ等から構成され、野菜購入システムにおける主要な処理を行う。表示部３３０は、ＣＲＴ表示装置や液晶表示装置等から構成され、会員サイト管理に必要な送受信画面及び入力画面等を表示する。記憶部３５０は、制御部３２０の処理に必要な情報を記憶し、記憶部３５０に記憶されるファイル構造は、図４に示すように、サーバ制御ソフトウエア４１０、会員情報データベース４２０、健康管理データベース４３０、野菜情報データベース４４０、庫内野菜情報データベース４５０、購入野菜情報データベース４６０、体重管理データベース４７０、献立情報データベース４８０及び選択レシピデータベース４９０から構成されている。サーバ制御ソフトウエア４１０は、制御部３２０の制御を司るソフトウエアであり、データベース４２０〜４９０を制御する。
【００２０】
会員情報データベース４２０は、図５に示すように、会員に係る情報を格納するデータベースであり、会員ＩＤ４２１、会員名４２２、会員が購入した冷蔵庫の型番を示す冷蔵庫型番４２３、冷蔵庫内の野菜室の容量を示す野菜室容量４２４、及び、会員の家族情報４２５から構成されている。健康管理データベース４３０は、図６に示すように、健康状態に応じた必要栄養摂取量に係る情報を格納するデータベースである。必要栄養摂取量は、栄養成分毎に分類されており、例えば、健康状態が「風邪」の場合、「ビタミンはａｍｇ、ミネラルはｂｍｇ、食物繊維はｃｍｇ」が必要栄養摂取量となる。
【００２１】
野菜情報データベース４４０は、図７に示すように、野菜の栄養成分に係る情報を格納するデータベースであり、野菜別に、各野菜の単位量当たりの栄養成分量を示している。庫内野菜情報データベース４５０は、図８に示すように、冷蔵庫の野菜室に残存する野菜に係る情報を格納するデータベースである。残存する野菜名及びその量が格納される。購入野菜情報データベース４６０は、会員に対して購入を推奨する購入野菜に係る情報を格納するデータベースである。購入を推奨する野菜及びその量が格納され、図８に示す庫内野菜情報データベース４５０と同様のデータベース構造である。尚、推奨する野菜は、会員サイトサーバで選定される（詳細は後述）。
【００２２】
体重管理データベース４７０は、図９に示すように、会員の家族の体重に係る情報を格納するデータベースである。家族の氏名毎に入力された体重が格納される。献立情報データベース４８０は、図１０に示すように、献立に係る情報を格納するデータベースである。各献立毎に、その献立で使用される野菜名及びその量が格納される。選択レシピデータベース４９０は、選択されたレシピ（詳細は後述）に係る情報を格納するデータベースである。会員が選択した推奨レシピが格納される。
【００２３】
次に、本発明の一実施例の野菜購入システムの動作を図１１、図１２及び図１３を用いて説明する。
【００２４】
まず、会員端末１２０が、通信網１８０を介して会員サイトサーバ１１０に接続され、会員端末１２０の表示部２３０には、図１２に示すように会員ホームページのログイン画面１２１０が表示される。このログイン画面には、会員ＩＤ入力欄１２１１及びパスワード入力欄１２１２が表示され、会員端末１２０の操作部２２０により会員ＩＤ及びパスワードが入力される（ステップ１０１０）。
【００２５】
この入力された会員ＩＤ及びパスワードは、会員端末１２０から通信網１８０を介して会員サイトサーバ１１０に送信され、会員サイトサーバ１１０は、この送信された会員ＩＤ及びパスワードに基づいて正当な会員であるか否かの認証を行う（ステップ１０２０）。
【００２６】
会員サイトサーバ１１０の制御部３２０は、正当な会員であることを認証すると、図１３（ａ）に示すように、家族情報入力画面１２２０を会員端末１２０に表示するよう制御する（ステップ１０３０）。この家族情報入力画面１２２０は、購入野菜の選定において参照データとして利用される会員の家族に関する情報を入力するための入力画面であり、家族の氏名を入力する氏名入力欄１２２１、年齢入力欄１２２２、性別入力欄１２２３、体重入力欄１２２４及び健康状態入力欄１２２５を有する。
【００２７】
家族情報入力画面１２２０が会員端末１２０の表示部２３０に表示されると、会員は、家族情報を操作部２１０により入力する（ステップ１０４０）。尚、氏名入力欄１２２１及び性別入力欄１２２３は、会員登録時に予め氏名及び性別を登録しておくことで、家族情報入力画面１２２０を表示する際に、登録しておいた氏名及び年齢を読み出すことにより、入力を省く構成としてもよい。また、体重入力欄１２２４は、例えば、計時機能（図示せず）により、１ヶ月毎に、体重の入力を促す旨の表示がなされ、会員はこの表示に従い体重を入力する構成としてもよい。これは、家族の体重は、摂取する野菜の栄養価の算出には必要であるが、体重の小さな変動までは要しないからである。尚、この体重を入力する間隔は、本実施例の１ヶ月に限るものでないことは言うまでもない。また、入力された体重のデータは、体重管理データベース４７０に記憶され、体重管理ボタン１２２６が選択されると、この体重管理データベース４７０に基づいて、体重の変動を示すグラフ等が表示される体重管理専用の新たな画面（図示せず）が表示される構成としてもよい。また、健康状態入力欄１２２５は、例えば、予め健康、風邪等の健康状態の項目を登録したプルダウンメニューから入力する項目を選択する構成としてもよい。
【００２８】
家族情報入力画面１２２０の各入力欄への入力が完了し、次へボタン１２２７が選択されると、新たに入力された氏名、年齢、性別及び健康状態は、会員サイトサーバ１１０が備える会員情報データベース４２０の家族情報４２５に、また、新たに入力された体重は、体重管理データベース４７０に記憶される（ステップ１０５０）とともに、会員サイトサーバ１１０の制御部３２０は、図１３（ｂ）に示すように、野菜残量情報入力画面１２３０を会員端末１２０に表示するよう制御する（ステップ１０６０）。この野菜残量情報入力画面１２３０は、冷蔵庫１００の野菜室に残っている野菜の情報を入力するための入力画面であり、葉もの、根菜等に野菜を分類した野菜分類欄１２３１に示された野菜分類毎に、野菜名入力欄１２３２、残存量入力欄１２３３が表示される。
【００２９】
野菜残量情報入力画面１２３０が会員端末１２０の表示部２３０に表示されると、会員は、野菜残量に関する情報を操作部２１０により入力する（ステップ１０７０）。野菜分類欄１２３１には、予め葉もの、根菜等の野菜分類が準備されており、所定の野菜分類が選択されると、選択された野菜分類に応じた野菜名が野菜名入力欄１２３２に表示される。会員は、野菜名入力欄１２３２に表示された野菜名を選択することにより野菜名を入力する。また、選択した各野菜に対して、その残量を残存量入力欄１２３３に入力する。残存量入力欄１２３３には、野菜名に応じた単位、例えば、ほうれん草は「束」、大根は「本」が表示されるようになっている。本実施例では、図１３（ｂ）に示すように、野菜分類欄１２３１には、「葉もの」と「根菜」が選択され、「葉もの」に関しては、野菜名入力欄１２３２には、「ほうれん草」と「小松菜」が選択され、残存量入力欄１２３３には、夫々「１束」、「２束」が入力され、また、「根菜」に関しては、野菜名入力欄１２３２には、「玉ねぎ」、「大根」及び「人参」が選択され、残存量入力欄１２３３には、夫々「３個」、「１／４個」、「１本」が入力された例を示している。
【００３０】
野菜残量情報入力画面１２３０の各入力欄への入力が完了し、次へボタン１２３４が選択されると、入力された野菜残量情報は、会員サイトサーバ１１０が備える庫内野菜情報データベースに記憶される（ステップ１０８０）とともに、会員サイトサーバ１１０の制御部３２０は、図１３（ｃ）に示すように、献立情報入力画面１２４０を会員端末１２０に表示するよう制御する（ステップ１０９０）。この献立情報入力画面１２４０は、野菜を購入する際に最適な野菜及びその量に見合った最適なレシピ（メニュー）を決定するために必要な情報を入力するための入力画面である。献立情報入力画面１２４０は、主菜入力欄１２４１、献立入力欄１２４２及び食事種類入力欄１２４３の入力欄を有する。
【００３１】
献立情報入力画面１２４０が会員端末１２０の表示部２３０に表示されると、会員は、献立に関する情報を操作部２１０により入力する（ステップ１１００）。主菜入力欄１２４１には、主菜となる食材を肉と魚の２種類に大別し、それらを調理した「肉料理」または「魚料理」の何れかを選択することで入力が行われる。献立入力欄１２４２には、献立を「中華」、「和食」、「洋食」の３種類に大別し、これらの何れかを選択することで入力が行われる。
【００３２】
献立情報入力画面１２４０の各入力欄への入力が完了し、献立管理ボタン１２４７が選択されると、会員サイトサーバ１１０の制御部３２０は、野菜を購入する際に最適な野菜及びその量に見合った推奨レシピ（メニュー）を選定し、選定した推奨レシピを会員端末１２０に表示された献立情報入力画面１２４０に表示するよう制御する（ステップ１１１０）。
【００３３】
ここで、推奨レシピの選定処理について説明する。まず、会員サイトサーバ１１０の制御部３２０は、野菜室の空間容量を算出する。これは、野菜室をなるべくピッタリの量の野菜で満たすために、購入する野菜の量をどれだけにすればよいかを空間容量に基づいて把握するためのものである。空間容量は、会員情報データベース４２０の野菜室容量４２４と、庫内野菜情報データベース４５０に記憶された野菜の合計量とに基づいて算出される。
【００３４】
次に、制御部３２０は、会員に必要とされる必要栄養摂取量（不足栄養量）を算出する。この栄養摂取量は、会員に依存する量であり、会員データベース４２０の家族情報４２０等に基づいて算出される。尚、これらの算出の際の詳細な処理にあたっては、適宜、記憶部３４０に記憶された各種データベースが参照される。
【００３５】
次に、制御部３２０は、算出された野菜室の空間容量と必要栄養摂取量に基づいて推奨レシピの選定を行う。尚、レシピは、野菜室の空間容量と必要栄養摂取量とに基づいた所定の複数のパタンが予め記憶部３４０に格納され、この複数のパタンから最適なパタンが推奨レシピとして選定される。
【００３６】
尚、本実施例では、図１３（ｃ）に示すように、各献立毎に、３つの推奨レシピ１、２、３を選定する例を示している。これら３つの推奨レシピは、メニューはそれぞれ違っていても、摂取できる栄養価は同じである。
【００３７】
会員端末１２０の表示部２３０に表示された、献立情報入力画面１２４０の推奨レシピ欄１２４４、１２４５、１２４６にレシピが表示されると、会員は、表示された推奨レシピの中から所望のレシピを選択する（ステップ１１２０）。本実施例では、中華では、「メニューＡ」、和食では、「メニューＢ」、洋食では、「メニューＣ」が選択された例を示している。
【００３８】
推奨レシピの選択が完了し、決定ボタン１２４８が選択されると、会員サイトサーバ１１０の制御部３２０は、図１３（ｄ）に示すように、推奨野菜情報画面Ａ１２５０を会員端末１２０に表示するよう制御する（ステップ１１３０）。この推奨野菜情報画面Ａ１２５０は、選択された推奨レシピに含まれる野菜名及びその量を表示する画面である。推奨野菜情報画面１２５０には、葉もの、根菜等に野菜を分類した野菜分類欄１２５１に示された野菜分類毎に、野菜名欄１２５２、野菜量欄１２５３が表示される。
【００３９】
ここで、会員端末１２０の表示部２３０には、推奨野菜情報画面Ａ１２５０が表示されるが、ここに示される推奨野菜は、季節を問わずいつでも購入できる野菜から選定した標準タイプである。そこで、旬のもので再検索ボタン１２５４を選択すると、図１３（ｅ）に示す推奨野菜情報画面Ｂ１２６０が表示され、旬の野菜を中心とした推奨野菜を表示することができる。また、この画面上の標準で再検索ボタン１２６４を選択すると、標準タイプを標示した推奨野菜情報画面Ａ１２５０に戻ることができる。推奨野菜情報画面Ａ１２５０の決定ボタン１２５５、または、推奨野菜情報画面Ｂ１２６０の決定ボタン１２５５が選択されると（ステップ１１４０）、会員サイトサーバ１１０の制御部３２０は、図１３（ｆ）に示すように、購入野菜確認画面１２７０を会員端末１２０に表示するよう制御する（ステップ１１５０）。
【００４０】
購入野菜確認画面１２７０が会員端末１２０の表示部２３０に表示され、確認ボタン１２７４が選択されると、購入野菜が決定される（ステップ１１６０）。
【００４１】
購入野菜が決定すると、会員サイトサーバ１１０は、決定した購入野菜情報を購入野菜情報データベース４６０に記憶する（ステップ１１７０）。また、会員サイトサーバ１１０は、購入野菜情報データベース４６０に記憶された購入野菜情報を通信網１８０を介して野菜販売業者端末１３０へ送信し、この情報を受信した野菜販売業者端末１３０は、この購入野菜情報に基づいて野菜の販売配送情報を生成し（ステップ１１９０）、野菜が配送され（ステップ１１９０）、会員に野菜が届けられる（ステップ１２００）。
【００４２】
尚、本実施例では、会員のデータ入力は、会員端末１２０により入力を行う例で説明したが、冷蔵庫１００の操作表示部からデータを入力し、通信部を介してそのデータを会員端末１２０に送信する構成としてもよい。
【００４３】
以上、本発明によれば、家族の健康状態、野菜室の容量、主菜となる料理メニュー等に応じて、主菜料理とバランスのよい野菜メニューが選定されることにより、必要とする栄養成分量で、且つ、冷蔵庫の野菜室に収納する適量の野菜を購入できる野菜購入システムを提供することができる。
【００４４】
以上、本発明について詳細に説明したが、本発明は、ここに記載された冷蔵庫または野菜購入システムに限定されるものではなく、他の冷蔵庫または野菜購入システムにも適用できることはいうまでもない。
【符号の説明】
【００４５】
１００：冷蔵庫、  １０１：操作パネル、  １１０：会員サイトサーバ、  １２０：会員端末、  １３０：野菜販売業者端末、  ２１０、３１０：操作部、  ２２０、３２０：制御部、  ２３０、３３０：表示部、  ２４０、３４０：記憶部、  ２５０、３５０：通信部、  ４１０：サーバ制御ソフトウエア、  ４２０：会員情報データベース、  ４３０：健康管理データベース、  ４４０：野菜情報データベース、  ４５０：庫内野菜情報データベース、  ４６０：購入野菜情報データベース、  ４７０：体重管理データベース、  ４８０：献立情報データベース、  ４９０：選択レシピデータベース。
【図１】
2010218117.tif 000003
【図２】
2010218117.tif 000004
【図３】
2010218117.tif 000005
【図４】
2010218117.tif 000006
【図５】
2010218117.tif 000007
【図６】
2010218117.tif 000008
【図７】
2010218117.tif 000009
【図８】
2010218117.tif 000010
【図９】
2010218117.tif 000011
【図１０】
2010218117.tif 000012
【図１１】
2010218117.tif 000013
【図１２】
2010218117.tif 000014
【図１３】
2010218117.tif 000015